(57)【特許請求の範囲】
【請求項１】
発光体から照射された光により発光演出を行う遊技機において、
前記発光体の照射方向前方に設けられ、光透過性を有する反射レンズを備え、
前記反射レンズは、
前記発光体に頂部が対向するよう配設されると共に、発光体の照射方向前方へ向けて開口した椀状のレンズ本体と、
前記レンズ本体の外面における頂部に形成され、該発光体側に突出して発光体から照射された光を集光する断面円弧状の集光部と、
前記レンズ本体の内面における前記集光部に対応する位置に凹設され、該集光部で集光された光の一部を該レンズ本体の外面側に反射する反射部とを備え、
前記集光部で光を集光して該集光部における発光体の照射方向前方を明輝させると共に、前記反射部で反射した光が前記レンズ本体の外面および内面で反射されつつ該レンズ本体の内部を透過することで、レンズ本体を全体的に発光させるよう構成した
ことを特徴とする遊技機。
【請求項２】
前記集光部における前記発光体に最も近接する部位に、該発光体側へ向けて開口した断面円弧状の拡散凹部が凹設され、該発光体から照射された光の一部を拡散凹部で拡散させるようにした請求項１記載の遊技機。
【請求項３】
前記レンズ本体の開口縁部に光拡散処理が施され、発光体の光により該開口縁部が発光するよう構成される請求項１または２記載の遊技機。
【請求項４】
前記レンズ本体の内面に、光透過性を有すると共にレンズ本体の開口側を臨む端面に光拡散部が設けられた拡散突部が形成され、
前記レンズ本体を挟んで前記拡散突部に対向するよう設けられた第２の発光体から照射された光がレンズ本体を透過して、前記拡散突部の光拡散部を発光させるよう構成した請求項１〜３の何れか一項に記載の遊技機。
【請求項５】
前記反射レンズが設置されるベース体を備え、
前記ベース体に、前記レンズ本体の外面に整合する形状とされて、前記反射レンズを嵌合した状態で保持する設置部が形成され、レンズ本体から漏れた光を設置部の表面に設けた光反射部で反射するよう構成した請求項１〜４の何れか一項に記載の遊技機。
【発明の詳細な説明】
【技術分野】
【０００１】
この発明は、発光演出を行う遊技機に関するものである。
【背景技術】
【０００２】
例えば、遊技機の代表例の一つであるパチンコ機は、機内にセットされる遊技盤の盤面にパチンコ球が打出される遊技領域が画成されて、該遊技盤における遊技領域の裏側に、各種図柄を変動表示して図柄変動演出を行なう図柄表示装置が配設される。また、遊技盤の前面側に、遊技領域に打出されたパチンコ球が入賞可能な入賞装置が配設され、該入賞装置へのパチンコ球の入賞により図柄表示装置での図柄変動演出が開始されるよう構成されている。そして、パチンコ機では、図柄変動演出の結果として図柄表示装置に所定の組合わせで図柄が停止すると、遊技者に有利な所謂大当たりが発生するようになっている。
【０００３】
また、パチンコ機には、例えばＬＥＤ等の発光体を備えた発光装置が遊技盤や機前面に配設され、パチンコ機の遊技状態に合せて発光体を点灯または点滅させて、視覚上の演出効果が高められるようになっている。例えば、特許文献１には、光拡散性物質を含有する合成樹脂材料から構成されたレンズ体と、該レンズ体により前側が覆われたランプ取付基板とから構成された照明装置が開示されている。ランプ取付基板には、複数のランプが設置されており、該ランプから照射された光がレンズ体で拡散されて、該レンズ体が全体的に発光するようになっている。
【先行技術文献】
【特許文献】
【０００４】
【特許文献１】特開２００１−９５９８７号公報
【発明の概要】
【発明が解決しようとする課題】
【０００５】
しかしながら、特許文献１の照明装置では、レンズ体でランプの光を拡散させて、該レンズ体が全体的に一様に発光するだけであり、発光演出が単調となって遊技の興趣が低下する難点があった。
【０００６】
すなわち、本発明は、従来技術に係る遊技機に内在する前記問題に鑑み、これらを好適に解決するべく提案されたものであって、演出効果の高い発光演出を行い得る遊技機を提供することを目的とする。
【課題を解決するための手段】
【０００７】
前記課題を解決し、所期の目的を達成するため、本発明に係る遊技機は、
発光体(100)から照射された光により発光演出を行う遊技機において、
前記発光体(100)の照射方向前方に設けられ、光透過性を有する反射レンズ(84,85,86)を備え、
前記反射レンズ(84,85,86)は、
前記発光体(100)に頂部が対向するよう配設されると共に、発光体(100)の照射方向前方へ向けて開口した椀状のレンズ本体(104)と、
前記レンズ本体(104)の外面(104a)における頂部に形成され、該発光体(100)側に突出して発光体(100)から照射された光を集光する断面円弧状の集光部(106)と、
前記レンズ本体(104)の内面(104b)における前記集光部(106)に対応する位置に凹設され、該集光部(106)で集光された光の一部を該レンズ本体(104)の外面(104a)側に反射する反射部(108)とを備え、
前記集光部(106)で光を集光して該集光部(106)における発光体(100)の照射方向前方を明輝させると共に、前記反射部(108)で反射した光が前記レンズ本体(104)の外面(104a)および内面(104b)で反射されつつ該レンズ本体(104)の内部を透過することで、レンズ本体(104)を全体的に発光させるよう構成したことを要旨とする。
請求項１の発明によれば、発光体から照射された光が集光部で集光されると共に、集光部で集光された光の一部が反射部で反射されるよう構成したから、集光部側が明輝しつつレンズ本体を全体的に発光させることができる。すなわち、集光部による強い光とレンズ本体での淡い光とによる演出効果の高い発光演出を提供することができ、遊技の興趣を高めることができる。
【０００８】
請求項２に係る遊技機では、前記集光部(106)における前記発光体(100)に最も近接する部位に、該発光体(100)側へ向けて開口した断面円弧状の拡散凹部(110)が凹設され、該発光体(100)から照射された光の一部を拡散凹部(110)で拡散させるようにしたことを要旨とする。
請求項２の発明によれば、発光体から照射された光の一部を拡散凹部で拡散させるから、発光体の光が集光部で全て集光されて光が強くなり過ぎてしまい遊技者が眩しく感じるのを防止し得る。
【０００９】
請求項３に係る遊技機では、前記レンズ本体(104)の開口縁部(104d)に光拡散処理が施され、発光体(100)の光により該開口縁部(104d)が発光するよう構成されることを要旨とする。
請求項３の発明によれば、レンズ本体の開口縁部に光拡散処理を施したから、レンズ本体の開口縁部を発光させることができ、演出効果を高めることができる。
【００１０】
請求項４に係る遊技機では、
前記レンズ本体(104)の内面(104b)に、光透過性を有すると共にレンズ本体(104)の開口側を臨む端面に光拡散部(112a)が設けられた拡散突部(112)が形成され、
前記レンズ本体(104)を挟んで前記拡散突部(112)に対向するよう設けられた第２の発光体(102)から照射された光がレンズ本体(104)を透過して、前記拡散突部(112)の光拡散部(112a)を発光させるよう構成したことを要旨とする。
請求項４の発明によれば、第２の発光体に光によりレンズ本体の内面で拡散突部が発光することができるから、演出効果の高い発光演出を行い得る。
【００１１】
請求項５に係る遊技機では、
前記反射レンズ(84,85,86)が設置されるベース体(82)を備え、
前記ベース体(82)に、前記レンズ本体(104)の外面(104a)に整合する形状とされて、前記反射レンズ(84,85,86)を嵌合した状態で保持する設置部(90,91,92)が形成され、レンズ本体(104)から漏れた光を設置部(90,91,92)の表面に設けた光反射部(93)で反射するよう構成したことを要旨とする。
請求項５の発明によれば、レンズ本体からベース体側へ漏れた光を設置部に設けた光反射部で反射することで、反射レンズを明るく発光させることができる。
【発明の効果】
【００１２】
本発明に係る遊技機によれば、演出効果の高い発光演出を行い得る。
【図面の簡単な説明】
【００１３】
【図１】本発明の実施例に係るパチンコ機の正面図である。
【図２】実施例に係るパチンコ機を、前枠を開放した状態で示す斜視図である。
【図３】前枠を後側から見た斜視図である。
【図４】前枠を球皿部材およびハンドルユニットを取り外した状態で示す斜視図である。
【図５】閉塞板、開閉蓋および前枠の一部を後側から見た斜視図である。
【図６】図１のＡ−Ａ線断面図であって、ハンドルユニットを拡大して示す。
【図７】球皿部材における球皿本体、発光装置および透光カバーを示す分解斜視図である。
【図８】(ａ)は右側の発光装置の分解斜視図であり、(ｂ)は発光部をベース体に取り付けた状態を拡大して示す斜視図である。
【図９】図１のＢ−Ｂ線断面図であって、右側の発光装置の反射レンズを拡大して示す。
【図１０】メインＬＥＤを発光した際に反射レンズを透過する光の反射作用を示す説明図である。
【図１１】ハンドルユニットを後側から見た状態で示す斜視図である。
【図１２】(ａ)はハンドルユニットの後壁部の背面図、(ｂ)はハンドルユニットの後壁部を後側から見た斜視図である。
【図１３】基板収容空間を開放した状態で示す前枠の背面図であって、(ａ)は揺動部材の係合部が上方に位置して爪部から離脱した状態を示し、(ｂ)は揺動部材の係合部が爪部に係合した状態を示す。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機１０を例に挙げて説明する。また、以下の説明において、「前」、「後」、「左」、「右」とは、図１に示すようにパチンコ機１０を前側(遊技者側)から見た状態で指称する。
【実施例】
【００１５】
〔パチンコ機１０の概略構成について〕
実施例に係るパチンコ機１０は、図１または図２に示すように、矩形枠状に形成されて外郭をなす固定枠としての外枠１２と、該外枠１２に対して着脱および開閉可能に枢支され、遊技領域１４ａが画成された遊技盤１４を着脱自在に保持する本体枠としての中枠(遊技機本体)１６と、該中枠１６の前面側に着脱および開閉可能に枢支されると共に該遊技盤１４を透視保護するガラス板３８ｃを備えた装飾枠としての前枠(遊技機本体)１８とを基本的に備えている。前記前枠１８は、上方へ開口する球貯留部２０ａを備えた球皿部材２０を備え、該球皿部材２０の右側下部にハンドルユニット２２が着脱自在に配設されている。
【００１６】
〔遊技盤１４について〕
図２に示すように、前記遊技盤１４は、略円形状に湾曲する外レール２４および内レール２６が盤面(前面)に配設されて、該内外レール２４,２６の内側に画成される前記遊技領域１４ａ内に、図柄表示装置や入賞装置等の遊技用部品(何れも図示せず)が配置されている。また、前記外レール２４および内レール２６は、パチンコ球が通過可能な距離だけ離間するよう構成されて、打球発射装置２８(後述)から発射されたパチンコ球が通過する発射通路３０を画成している。ここで、前記発射通路３０は、遊技盤１４の下端左寄り位置で下方に開口すると共に、遊技盤１４の左上部位置で遊技領域１４ａ内に開口しており、前記打球発射装置２８から発射されて発射通路３０を通過したパチンコ球が遊技領域１４ａの上部位置に打ち出されるようになっている。そして、前記遊技領域１４ａに打ち出されたパチンコ球が入賞装置に入賞することで、所定数の賞球が払い出されるようになっている。なお、以下の説明においては、前記発射通路３０の下方開口を始端開口部３０ａと指称する。
【００１７】
〔中枠１６について〕
図２に示すように、前記中枠１６は、上縁をなす上枠部材１６ａと、下縁をなし、スピーカ２７や打球発射装置２８等を設置する設置部として機能する下枠部材１６ｂと、左側縁をなす左枠部材(図示せず)と、右側縁をなす右枠部材１６ｃとから構成されて、これら上下左右の枠部材１６ａ〜１６ｃを組み付けた際に、全体が前記外枠１２の開口領域に整合する大きさに形成されている。前記打球発射装置２８は、パチンコ球を打ち出す打球杆２８ａと、右から左に向けて上方傾斜する発射レール２８ｂとを備え、前記ハンドルユニット２２の操作部３２が回動操作されると、打球杆２８ａが作動して、パチンコ球を発射レール２８ｂに沿って打ち出すよう構成される。また、下枠部材１６ｂには、板状の傾斜案内部３４が前記発射レール２８ｂの延長線上に延在するよう配設されている。この傾斜案内部３４の開放端は、前記遊技盤１４の発射通路３０の始端開口部３０ａを指向しており、打球発射装置２８の打球杆２８ａにより打ち出されたパチンコ球が発射レール２８ｂに案内されて発射通路３０に飛翔するよう構成される。なお、前記中枠１６(下枠部材１６ｂ)の後側には、前記ハンドルユニット２２の操作に基づいて打球発射装置２８を駆動制御する発射制御装置(図示せず)が配設されており、該発射制御装置から出力される制御信号に基づいて前記打球杆２８ａが作動制御される。
【００１８】
〔前枠１８について〕
図３,図４に示すように、前記前枠１８は、前記中枠１６の外郭形状に略合致する矩形板状に形成されると共に前後方向に開口する窓枠３６が開設された前枠基体部３８を基本構成とし、該前枠基体部３８の前面に窓枠３６の周囲を囲繞するよう各種の装飾部材３８ａが配設されて構成される。そして、中枠１６の上下の左隅部に設けた第１ヒンジ部１６ｅ,１６ｅ(図２参照)に前枠基体部３８の上下の左隅部に設けた第２ヒンジ部３８ｂ,３８ｂ(図３参照)を着脱および回動自在に軸支することで、前枠１８が中枠１６に対し回動自在に取り付けられる。なお、前枠基体部３８は、アルミ等の剛性を有する金属部材で構成されている。前枠基体部３８の窓枠３６には、無色透明な前記ガラス板３８ｃ(図１参照)が設けられている。なお、図３では、ガラス板３８ｃを図示省略してある。そして、前枠１８を中枠１６に対して閉成した状態で、中枠１６の前側が前枠１８によって覆われると共に、前記遊技盤１４の前側がガラス板３８ｃにより透視保護されて、該遊技盤１４に形成された遊技領域１４ａが窓枠３６を介して前方に露出するよう構成される。図４に示すように、前記前枠基体部３８における窓枠３６の下側前面には、前記球皿部材２０が配設されている。図３に示すように、前枠基体部３８の下部後面には、前枠１８を中枠１６に対し閉成した際に前記発射レール２８ｂおよび傾斜案内部３４の前側に対向して両部材２８ｂ,３４から前方への球こぼしを防止する保護部材４２が配設されている。
【００１９】
前記前枠基体部３８の右下隅部に、前後方向に開口する設置開口部４４が形成されている(図４,図５参照)。また、図５に示すように、前枠基体部３８の後面には、前記設置開口部４４の上縁部に近接して、左右方向に開放する係止孔４６ａを画成する係止体４６が設けられている。前記前枠基体部３８における設置開口部４４に対応する部位には、設置開口部４４の開口縁に沿って前方へ膨出する膨出収容部４８が形成されている。図４に示すように、この膨出収容部４８は、右方から左方に向けて前方への突出量が大きくなるよう構成され、膨出収容部４８の内部に基板収容空間４８ａが画成されている。膨出収容部４８の前側には、前側斜め右方に向けて矩形状に開口する斜状開口部４８ｂが形成されており、該膨出収容部４８の前側に着脱自在に配設される閉塞板５０により該斜状開口部４８ｂが閉成されるようになっている。図５に示すように、前記閉塞板５０の後面には、複数のコネクタ受部５２ａを後方に臨ませた中継基板５２が配設されており、閉塞板５０を膨出収容部４８に配設した状態で、中継基板５２が前記基板収容空間４８ａに収容される。前記中継基板５２は、図示しない配線を介して前記発射制御装置に電気的に接続されている。
【００２０】
前記閉塞板５０には、前後方向に開放する矩形状の通孔部５４が形成されると共に、閉塞板５０の後面に、後方に突出する突軸部５６が形成されている。この突軸部５６は、前記通孔部５４の左上側(図５では右上側)に近接するよう位置しており、該突軸部５６に、揺動部材５８が揺動自在に軸支される。前記揺動部材５８は、突軸部５６の軸支部から通孔部５４の開設方向へ向けて左右方向に延在する板状本体５８ａと、該板状本体５８ａの前縁部から下方に延出する係合部５８ｂとから構成され、図５において板状本体５８ａの右端部に設けた軸孔５８ｃに前記突軸部５６が挿通されることで、揺動部材５８が突軸部５６に軸支されている。そして、揺動部材５８が突軸部５６を中心として揺動することで、係合部５８ｂが上下方向に移動するよう構成される。また、閉塞板５０の後面には、突軸部５６の下方であって通孔部５４の左縁部近傍に、後方に突出する規制片６０が形成されており、揺動部材５８の下面が規制片６０に当接することで前記板状本体５８ａが略水平となる姿勢に保持されるようになっている(図１３(ｂ)参照)。揺動部材５８が規制片６０に当接した状態では、係合部５８ｂが通孔部５４の上縁部側に臨んで、後述する係合突出部１２８と係合するようになっている。
【００２１】
図３に示すように、前記保護部材４２は、前枠基体部３８の後面における右端部から左端部近傍にかけて左右に延在するよう配設される。前記保護部材４２は、左右方向に延在する本体板部４２ａと前枠１８の右端部側(図３では左端部側)で上下方向に延在する鉛直部４２ｂとから基本的に構成されている。なお、保護部材４２の後側には、無色透明な合成樹脂で形成された弧状のシールド板６２が配設され、前枠１８を中枠１６に対し閉成した際に、シールド板６２が遊技盤１４の発射通路３０の下部側を前側から保護するようになっている。前記本体板部４２ａの後面は、前枠１８を中枠１６に対し閉成した状態で、発射レール２８ｂおよび傾斜案内部３４の前側に僅かに離間して対向するよう構成され、打球杆２８ａにより打ち出されたパチンコ球が両レール２８ｂ,３４上から落下するのを規制している。図５に示すように、前記鉛直部４２ｂは、前記設置開口部４４の右側(図５では左側)を延在するよう構成される。鉛直部４２ｂの下部には、図５における右側に突出する設置部６４が形成されて、該設置部６４の上下の面に枢支孔６４ａ,６４ａが夫々形成されている(図５に上側の枢支孔６４ａのみを図示)。そして、この前枠１８に設けられた設置部６４に、前記設置開口部４４の後方開口を開閉自在に閉成する開閉蓋６６が回動自在に取り付けられる。
【００２２】
図５において前記開閉蓋６６の側縁部(図５では左側縁部)には、側方(左方)へ突出する一対の支持片６６ａ,６６ａが上下に離間して形成されている。上下の支持片６６ａ,６６ａの離間距離は、前記設置部６４の上下寸法より僅かに大きく設定されている。各支持片６６ａ,６６ａには、対向する支持片６６ａ,６６ａ側に突出する枢支突部６６ｂ,６６ｂが形成されており(図５に下側の枢支突部６６ｂのみ図示)、各枢支突部６６ｂを対応する枢支孔６４ａに挿入することで、開閉蓋６６が設置部６４に回動自在に枢支される。開閉蓋６６の上部には、前記支持片６６ａ,６６ａと反対側の側部に左右方向に弾性変形可能に構成されて前記係止体４６の係止孔４６ａに着脱自在に係止するツマミ部６８が形成されている。このツマミ部６８は、前記係止体４６の係止孔４６ａに係止するようになっており、該ツマミ部６８を係止体４６から離間させる方向へ弾性変形させることで、ツマミ部６８の係止孔４６ａに対する係止が解除されるよう構成される。そして、ツマミ部６８を係止体４６から解除した状態で、開閉扉６６を前記枢支突部６６ｂ,６６ｂを中心に回動させることで、設置開口部４４を開放し得るようになっている。なお、開閉蓋６６の前面側には、該前面の略全体を覆う金属製の不正防止板７０が取り付けられている。この不正防止板７０を設けることで、開閉蓋６６側から針金等の不正器具が基板収容部内に挿入されるのを防止している。
【００２３】
〔球皿部材２０について〕
図７に示すように、前記球皿部材２０は、前記前枠基体部３８の下部前面に取り付けられる球皿本体７２と、該球皿本体７２に取り付けられる球貯留部２０ａ(図４参照)と、該球皿本体７２に設けられる左右一対の発光装置７４,７５と、該球皿本体７２の前側に配設される透光カバー７６とを基本的に備えている。前記球皿本体７２は、前方へ円弧状に突出するよう形成されて、上方および後方に開放する設置空間７２ａが画成されている。図４に示すように、球皿本体７２には、球貸し時に操作される球貸ボタン７８ａや遊技演出時に操作される操作ボタン７８ｂ等を備えた操作盤７８が、球皿部材２０の上部開口の縁部に整合するよう配設されている。前記球貯留部２０ａは、上方および後方に開口する皿状に形成され、前記球皿本体７２の設置空間７２ａに収容された状態で取り付けられている。そして、球皿部材２０を前枠基体部３８に取り付けた状態で、球貯留部２０ａの後方開口が該前枠基体部３８で閉塞されて、該球貯留部２０ａにパチンコ球が貯留可能とされる。前記球皿本体７２の前部には、前後方向に開放する一対の前部開口７２ｂ,７２ｂが球皿部材２０の左右の中央部を挟んで左右対称の関係で形成されており、各前部開口７２ｂ,７２ｂに前記発光装置７４,７５が設置されている。球皿本体７２の右下部には、前記閉塞板５０の通孔部５４に対応する位置において前後方向に開放する設置窓７２ｃが形成され、該設置窓７２ｃに筒状体８０が嵌合した状態で配設されている。この筒状体８０は、前後方向に貫通する嵌合孔８０ａが形成された円筒状部材であって、該嵌合孔８０ａにハンドルユニット２２の本体部１１４(後述)が嵌合した状態で取り付けられる。筒状体８０の下部には、上下方向に開放して前記嵌合孔８０ａに連通するネジ孔８０ｂが形成されている(図６参照)。前記筒状体８０を設置窓７２ｃに取り付けた状態では、前記嵌合孔８０ａが閉塞板５０の通孔部５４に前側から連通して、該嵌合孔８０ａおよび通孔部５４を介してパチンコ機１０の前側から基板収容空間４８ａにアクセスし得るようになっている。
【００２４】
〔発光装置７４,７５について〕
前記発光装置７４,７５は、前方に光を照射して発光演出を行うよう構成される。なお、左右の発光装置７４,７５の各部材は、左右対称の関係で構成されており、以下では、右側の発光装置７４について説明することとし、左側の発光装置７５については、同じ符号を付して説明は省略する。図７に示すように、発光装置７４は、ベース体８２と、該ベース体８２に設置される反射レンズ８４〜８６と、該ベース体８２の後側に反射レンズ８４〜８６に対応して設置される発光部８７〜８９とを備えている。前記ベース体８２は、前記球皿部材７２の前部開口７２ｂに整合する形状に形成されており、該ベース体８２を球皿部材７２に取り付けた際に前部開口７２ｂがベース体８２で閉塞されるようになっている。なお、実施例の発光装置７４は、反射レンズ８４〜８６を複数(実施例では３つ)備えると共に、各反射レンズ８４〜８６に対応して発光部８７〜８９を複数(実施例では３つ)備えている。前記ベース体８２には、前方に開口すると共に後方に突出した椀状設置部(設置部)９０〜９２が前記反射レンズ８４〜８６に対応して３つ形成されている。各椀状設置部９０〜９２の前方開口は、円形状をなしている。ここで、椀状設置部９０〜９２の前面(表面)には、光を反射する光反射部９３が設けられている。実施例では、光反射部９３は、前記ベース体８２の前面全体をメッキ処理することで構成されており、該反射部９３の前面に到来した光を前側へ反射し得るよう構成されている。
【００２５】
３つの椀状設置部９０〜９２は、前記ベース体８２において左下側から右上側に向けて斜状に並ぶように形成されており、椀状設置部９０〜９２のサイズは、左、中央、右の順で小さくなっている。また、椀状設置部９０〜９２の曲面形状は、対応する反射レンズ８４〜８６の外面形状に整合するよう設定されている。図８(ａ)に示すように、各椀状設置部９０〜９２の最深部には、前後方向に開放するメイン通孔９４が形成されている。また、椀状設置部９０〜９２には、前後方向に開放する複数(左、中央の椀状設置部９０には３つ、右の椀状設置部９０には２つ)のサブ通孔９６が、前記メイン通孔９４を中心として周方向に等間隔で離間する位置に形成されている。図８(ｂ),図１０に示すように、前記椀状設置部９０〜９２におけるメイン通孔９４の開口縁には、該椀状設置部９０〜９２の前面(光反射部９３)から突出する環状突部９７が設けられている。そして、前記反射レンズ８４〜８６を椀状設置部９０〜９２に設置した際に、前記環状突部９７が反射レンズ８４〜８６の外面(後述する外側反射面１０４ａ)に当接し、椀状設置部９０〜９２の前面(光反射部９３)と反射レンズ８４〜８６の外面との間に僅かな隙間Ｓ(図１０参照)が形成されるようになっている。
【００２６】
前記発光部８７〜８９は、円盤状の発光基板９８と、該発光基板９８の前面における中心に設けられたメインＬＥＤ(発光体)１００と、該メインＬＥＤ１００の周りに周方向へ等間隔に離間するよう設けた複数のサブＬＥＤ(第２の発光体)１０２とから構成される。なお、発光基板９８の直径は、対応する椀状設置部９０〜９２のサイズに合わせて、左、中央、右の発光基板９８の順で小さくなっている。前記サブＬＥＤ１０２は、左、中央の発光基板９８,９８に３つ、右の発光基板９８に２つ設けられ、各サブＬＥＤ１０２は、前記椀状設置部９０〜９２のサブ通孔９６に対応している。そして、図８(ｂ)に示すように、メインＬＥＤ１００をメイン通孔９４に臨ませると共に、各サブＬＥＤ１０２を対応するサブ通孔９６に臨ませた状態で、発光基板９８がベース体８２の後側にネジ止めされている。図９に示すように、各発光基板９８の後面には、コネクタ９８ａが設けられており、該コネクタ９８ａに接続した配線(図示せず)を介して発光基板９８が前記図柄表示装置等を制御する演出制御用の制御手段(図示せず)に電気的に接続されている。そして、制御手段から出力される制御信号に基づいて、前記メインＬＥＤ１００およびサブＬＥＤ１０２が発光して、前方に光を照射させるようになっている。メインＬＥＤ１００から照射された光は、前記メイン通孔９４を通過すると共に、サブＬＥＤ１０２から照射された光は、サブ通孔９６を通過するようになっている。
【００２７】
〔反射レンズ８４〜８６について〕
前記反射レンズ８４〜８６は、光透過性を有する合成樹脂から構成され、前記発光部８７から照射された光を透過させると共に反射させて発光するものである。反射レンズ８４〜８６のサイズは、対応する椀状設置部９０〜９２に合わせて、左、中央、右の順で小さく設定されている。なお、各反射レンズ８４〜８６の基本的な構成は、同一であるので、以下の説明では、左側の反射レンズ８４について説明を行い、中央、右側の反射レンズ８５,８６については、特に断りを入れた場合を除いて、同じ符号を付して説明を省略する。
【００２８】
図９,図１０に示すように、前記反射レンズ８４は、椀状に形成されたレンズ本体１０４と、該レンズ本体１０４の外面(後述する外側反射面１０４ａ)における頂部に形成された集光部１０６と、該レンズ本体１０４の内面(後述する内側反射面１０４ｂ)における集光部１０６に対応する位置(すなわち、最深部)に凹設された反射部１０８とを基本的に備えている。前記レンズ本体１０４は、前方(発光体の照射方向前方)へ向けて円形に開口すると共に後側に凸の椀状に形成され、レンズ本体１０４の曲面形状は、椀状設置部９０の曲面形状と略一致している。そして、図９に示すように、レンズ本体１０４は、前記椀状設置部９０に嵌合した状態で取り付けられている。椀状設置部９０に取り付けられた状態では、レンズ本体１０４の頂部側(すなわち、集光部１０６)が前記メイン通孔９４に嵌って前記メインＬＥＤ１００に対向すると共に、前記環状突部９７がレンズ本体１０４に当接するよう構成される。レンズ本体１０４は、発光部８７に近接する側の外面である外側反射面１０４ａと、発光部８７に離間する側の内面である内側反射面１０４ｂとがレンズ本体１０４の頂部を除いて略一定の距離で離間することで、所要の肉厚を有している。以下の説明では、レンズ本体１０４を構成する壁部を光透過壁１０４ｃと指称する。図１０に示すように、レンズ本体１０４の開口縁部１０４ｄは、多数の突部を形成することで光拡散処理が施されており、後述するように光透過壁１０４ｃ内を透過して開口縁部１０４ｄに到来した光が、該開口縁部１０４ｄで拡散されて明輝するようになっている。
【００２９】
図８(ａ)に示すように、レンズ本体１０４には、前記内側反射面１０４ｂから前方へ突出するよう形成された拡散突部１１２が３つ(右側の反射レンズ８６については２つ)形成されている。この拡散突部１１２は、レンズ本体１０４を椀状設置部９０に設置した状態で、サブ通孔９６に臨むサブＬＥＤ１０２の前方に位置するよう構成されている。そして、図９に示すように、サブ通孔９６を通過したサブＬＥＤ１０２の光がレンズ本体１０４の光透過壁１０４ｃを通過して、拡散突部１１２に到来するようになっている。拡散突部１１２は、レンズ本体１０４の径方向に所定長さで延在するよう形成される。また、拡散突部１１２の前端面は、レンズ本体１０４の径方向外側に向かうにつれて前方へ傾斜するよう形成されている。すなわち、拡散突部１１２は、反射レンズ８４の中心から放射状に延在する突片形状に形成されている。また、拡散突部１１２の前端面には、光拡散部１１２ａが形成されており、拡散突部１１２を透過した光により光拡散部１１２ａの全体が発光するようになっている。具体的には、図１０に示すように、光拡散部１１２ａは、レンズ本体１０４の径方向へ離間する方向に並ぶよう形成した複数の溝部１１２ｂで構成されており、複数の溝部１１２ｂにより光拡散部１１２ａに到来した光をレンズ本体１０４の径方向へ拡散させるようになっている。
【００３０】
図１０に示すように、前記集光部１０６は、前記レンズ本体１０４の外側反射面１０４ａの頂部から後方へ半球状(断面円弧状)に膨出して、前記メインＬＥＤ１００から照射された光を集光する集光レンズとして機能するものである。この集光部１０６は、前記椀状設置部９０に反射レンズ８４を設置した状態で、前記メイン通孔９４に臨んで、前記メインＬＥＤ１００の前側に対向するようになっている。前記集光部１０６は、前記メインＬＥＤ１００の光の照射範囲をカバーし得るサイズに形成されて、該メインＬＥＤ１００から照射された光は、集光部１０６(または拡散凹部１１０)に到来するようになっている。そして、集光部１０６は、メインＬＥＤ１００から照射された光を前方へ集光することで、該集光部１０６の前側(すなわち、反射レンズ８４の中心側)が強く明輝するようになる(図１０の光線Ｌ１参照)。なお、光線Ｌ１〜Ｌ４は、メインＬＥＤ１００から照射された光の透過および反射の態様を概念的に示したものである。
【００３１】
前記反射レンズ８４は、前記集光部１０６に凹設した拡散凹部１１０を備えている。この拡散凹部１１０は、集光部１０６におけるメインＬＥＤ１００に最も近接する頂部に凹設されている。この拡散凹部１１０は、後方に開放する半球状(断面円弧状)に形成されており、前記メインＬＥＤ１００から照射された光の一部を拡散する拡散レンズとして機能する。すなわち、メインＬＥＤ１００から照射された光を全て集光部１０６で集光するのでなく、その一部を拡散凹部１１０で拡散することで、反射レンズ８４の中心側が極端に強く明輝するのを防止している(図１０の光線Ｌ２参照)。
【００３２】
前記反射部１０８は、前記内側反射部１０８の最深部を前記拡散凹部１１０に向けて穿設することで形成される。この反射部１０８は、前側から後側に向かうにつれて先細るよう形成されており、該反射部１０８の断面形状は、斜め前方に凸の２つの円弧形状が対称の関係で並んだ形状とされる。そして、反射部１０８は、前記集光部１０６で集光されたメインＬＥＤ１００の光の一部を外側反射面１０４ａ側(すなわち、斜め後方)に反射させるようになっている。すなわち、反射部１０８で光を外側反射面１０４ａに向けて反射させることで、該外側反射面１０４ａに到来した光の一部が更に内側反射面１０４ｂに向けて反射される。そして、内側反射面１０４ｂに到来した光の一部が該内側反射面１０４ｂを透過してレンズ本体１０４の前側へ照射される(図１０の光線Ｌ３参照)。また、内側反射面１０４ｂに到来した光の一部は、内側反射面１０４ｂで再び反射されて、外側反射面１０４ａに向けて照射されるようになる(図１０の光線Ｌ４参照)。すなわち、反射部１０８で反射された光は、外側反射面１０４ａおよび内側反射面１０４ｂで反射されながら光透過壁１０４ｃ内を反射部１０８側からレンズ本体１０４の開口縁部１０４ｄ側に向けて進行すると共に、内側反射面１０４ｂに光が到来する毎に、光の一部が該内側反射面１０４ｂを光が透過することになる。その結果、レンズ本体１０４が全体的に発光するようになっている。また、光透過壁１０４ｃ内を進行してレンズ本体１０４の開口縁部１０４ｄに到来した光は、該開口縁部１０４ｄで拡散されて開口縁部１０４ｄが明輝するよう構成される。一方、外側反射面１０４ａに到来して該外側反射面１０４ａを透過した光は、図１０に拡大して示すように、前記外側反射面１０４ａおよび椀状設置部９０の光反射部９３の間の隙間Ｓを進行して、該反射部９３でレンズ本体１０４側に反射されるよう構成される(光線Ｌ５参照)。
【００３３】
〔ハンドルユニット２２について〕
図１１に示すように、前記ハンドルユニット２２は、前記筒状体８０に着脱自在に取り付けられる本体部１１４に、操作部３２が回動自在に配設されて構成されている。前記本体部１１４は、図６に示すように、後方に開放する筒状に形成された円筒体１１６と、パチンコ機１０の前側に臨んで遊技者が把持する把持部１１５と、該円筒体１１６の後方開口を閉塞する後壁部(後部)１２０とから基本的に構成され、本体部１１４の内部に収納部１１４ａが画成されている。この収納部１１４ａには、前記操作部３２の回動量(すなわち、パチンコ球の発射強度)に応じた電気信号を出力する可変抵抗器等の電気部品Ｐが収納されている。この電気部品Ｐから複数の配線Ｘが導出しており、該複数の配線Ｘの端部は、コネクタ部１２４で連結されている。図６に示すように、前記円筒体１１６は、前記筒状体８０の嵌合孔８０ａに嵌合するよう内挿可能な形状およびサイズに形成される。円筒体１１６の下部には、前記筒状体８０のネジ孔８０ｂに整合する固定孔１１６ａが形成され、ネジ孔８０ｂおよび固定孔１１６ａにネジ１２６を螺挿することで、円筒体１１６が筒状体８０にネジ止めされる。なお、円筒体１１６の内部には、該円筒体１１６の前側から後方に延出する固定ボス１１６ｂが複数(実施例では３つで、図６に１つのみ図示)形成されている。前記把持部１１５は、前記円筒体１１６の前側から前方および径方向に拡がるように一体形成された拡開部１１８と、拡開部１１８の前側に配設された装飾体１２２とから基本的に構成されている。前記装飾体１２２は、前面に所要の装飾が施されてハンドルユニット２２の意匠面を構成するものであって、該装飾体１２２および拡開部１１８の間に前記操作部３２が配設されている。
【００３４】
図１２(ａ),(ｂ)に示すように、前記後壁部１２０は、前記円筒体１１６の後方開口に略整合する略円盤状の部材であって、後壁部１２０の周縁部には、前後方向に開放するネジ孔１２０ａが円筒体１１６の固定ボス１１６ｂに対応して複数(実施例では３つ)形成されている。そして、後壁部１２０のネジ孔１２０ａを介して固定ボス１１６ｂにネジ(図示せず)を螺挿することで、後壁部１２０が円筒体１１６にネジ止めされる。前記後壁部１２０には、後方に突出する係合突出部１２８が形成されている。この係合突出部１２８は、前後方向に延在する板状部１２８ａと、該板状部１２８ａの上面(一方の面)に設けられた爪部(突部)１２８ｂとから構成されている。図６に示すように、この係合突出部１２８は、前記円筒体１１６を筒状体８０の嵌合孔８０ａに嵌合した状態で、前記閉塞板５０の通孔部５４に前側から挿入されて、前記基板収容空間４８ａに突出するようになっている。前記爪部１２８ｂには、後方から前方に向けて上方傾斜する案内面１２８ｃが形成されている。この案内面１２８ｃは、係合突出部１２８を通孔部５４に挿入する際に、通孔部５４に臨む前記揺動部材５８の係合部５８ｂに当接して、該係合部５８ｂを押し上げるよう構成される(図６の２点鎖線参照)。そして、爪部１２８ｂの案内面１２８ｃが係合部５８ｂより後方に位置した際(係合部５８ｂを通過した際)に、自重により揺動部材５８が揺動して係合部５８ｂが下降し、爪部１２８ｂに係合するようになっている。
【００３５】
図１２(ａ)に示すように、前記後壁部１２０には、前記係合突出部１２８の下方(爪部１２８ｂの形成側とは反対側)に配線通孔１２０ｂが前後方向に開口するよう形成されている。また、後壁部１２０には、配線通孔１２０ｂの左縁部(図１２(ａ)では右縁部)から該後壁部１２０の周縁部までを左右方向に切り欠いた横連通孔１２０ｃが形成されている。更に、後壁部１２０の前面(収納部１１４ａの内側)に、前記配線通孔１２０ｂの右側に位置するよう配線フック１２０ｄが設けられている(図１２(ｂ)参照)。そして、前記電気部品Ｐの配線Ｘは、配線フック１２０ｄで保持された状態で前記配線通孔１２０ｂを介して前記収納部１１４ａから引き出されるようになっている。
【００３６】
前記後壁部１２０には、前記配線通孔１２０ｂから後方に延出する配線保持部１３０が、前記係合突出部１２８の下側(板状部１２８ａの他方の面側)に一体的に形成されている。この配線保持部１３０は、図１２(ａ)において前記配線通孔１２０ｂの左縁部から後方に延出する縦壁部１３０ａと、該配線通孔１２０ｂの下縁部から後方に延出する横壁部１３０ｂとから構成され、後方および左方(図１２(ａ),(ｂ)では右方)に向けて開放する保持空間１３０ｃが画成されている。そして、配線保持部１３０は、前記配線通孔１２０ｂから引き出した電気部品Ｐの配線Ｘを保持空間１３０ｃ内に保持すると共に、該配線Ｘを係合突出部１２８に沿って後方へ案内するよう構成される。すなわち、電気部品Ｐの配線Ｘは、配線保持部１３０で保持された状態で前記通孔部５４を挿通されて、基板収容空間４８ａ内に引き回されるようになっている。電気部品Ｐの配線Ｘのコネクタ部１２４は、前記中継基板５２のコネクタ受部５２ａに接続される(図６参照)。すなわち、ハンドルユニット２２は、中継基板５２を介して前記主制御装置に電気的に接続され、前記電気部品Ｐから出力された電気信号が主制御装置に入力されるよう構成される。
【００３７】
〔実施例の作用〕
次に、実施例に係るパチンコ機１０の作用について説明を行う。
【００３８】
〔ハンドルユニット２２を組み付ける場合について〕
ハンドルユニット２２を球皿部材２０に組み付ける場合には、先ず始めに、図２に示す如く、前枠１８を中枠１６に対し開放させる。そして、前記開閉蓋６６のツマミ部６８を弾性変形させて、該ツマミ部６８を係止孔４６ａから離脱させ、開閉蓋６６を回動させる。これにより、設置開口部４４が開放して、基板収容空間４８ａが前枠１８の後方に臨む(図１３(ａ)参照)。ハンドルユニット２２については、後壁部１２０を筒状体８０から取り外した状態において、前記収納部１１４ａから引き出した電気部品Ｐの配線Ｘを配線フック１２０ｄに係止させる。次に、配線フック１２０ｄに係止した配線Ｘを横連通孔１２０ｃを介して配線通孔１２０ｂおよび配線保持部１３０の保持空間１３０ｃに臨ませる。このように、電気部品Ｐの配線Ｘを横連通孔１２０ｃを介して配線通孔１２０ｂに挿通させ得るから、配線Ｘを配線通孔１２０ｂに容易に挿通した状態で配線保持部１３０に保持させることができる。そして、後壁部１２０を筒状体８０にネジ止めすることで、電気部品Ｐの配線Ｘが係合突出部１２８の下側で配線保持部１３０に保持されて、保持空間１３０ｃを後方へ案内される(図６参照)。
【００３９】
次に、ハンドルユニット２２の本体部１１４を前記筒状体８０の嵌合孔８０ａに前側から臨ませたもとで、前記配線Ｘのコネクタ部１２４を閉塞板５０の通孔部５４に挿通させる。このとき、電気部品Ｐの配線Ｘは、配線保持部１３０により後方へ案内保持されているから、配線Ｘが本体部１１４の後部から下側に垂れた状態になり難くなっている。そのため、ハンドルユニット２２の本体部１１４を嵌合孔８０ａに挿入する際に、配線Ｘを本体部１１４および嵌合孔８０ａの間で噛み込んでしまうのを抑制し得る。また、配線保持部１３０により配線Ｘが保持されることで、該配線Ｘの取り扱いが容易となるから、配線Ｘのコネクタ部１２４を通孔部５４に簡単に挿入させることできる。
【００４０】
次に、係合突出部１２８を通孔部５４を介して基板収容空間４８ａに挿入させる。ここで、前記揺動部材５８は、板状本体５８ａの下面が規制片６０に当接し、係合部５８ｂが通孔部５４の上縁部に臨んだ状態にある(図６参照)。従って、係合突出部１２８を通孔部５４に挿入する際に、前記爪部１２８ｂが揺動部材５８の係合部５８ｂに当接し、爪部１２８ｂの案内面１２８ｃで係合部５８ｂを押し上げる。すなわち、係合突出部１２８を挿入するだけで、係合部５８ｂが上方に移動するから、作業者は、係合部５８ｂを上方に持ち上げた状態で係合突出部１２８を挿入させる必要がなく、作業が容易となる。そして、案内面１２８ｃが係合部５８ｂより後方に位置すると、揺動部材５８が自重で揺動して係合部５８ｂが爪部１２８ｂに係合する(図１３(ｂ)参照)。このように、係合部５８ｂは、自重により爪部１２８ｂに自動的に係合するから、作業者の負担を軽減することが可能となる。しかも、配線保持部１３０は、係合突出部１２８の爪部１２８ｂとは反対側(下側)で電気部品Ｐの配線Ｘを保持するので、配線Ｘが係合部５８ｂに干渉し難くなり、配線Ｘが係合部５８ｂに引っ掛かったり、爪部１２８ｂと係合部５８ｂとの間に配線Ｘが噛み込んでしまうのを防止することができる。
【００４１】
爪部１２８ｂに係合部５８ｂが係合することで、ハンドルユニット２２の本体部１１４が中枠１６(閉塞板５０)に対し仮止めされた状態となる。この状態で、筒状体８０に設けたネジ孔８０ｂおよび本体部１１４の固定孔１１６ａにネジ１２６を螺挿して、ハンドルユニット２２が球皿部材２０に取り付けられる。このように、ハンドルユニット２２の本体部１１４が仮止めされた状態でネジ止め作業を行うことができるので、本体部１１４と筒状体８０との相対的な位置関係がズレ難くなり、効率的にネジ止め作業を行い得る。そして、基板収容空間４８ａに臨ませた配線Ｘのコネクタ部１２４を中継基板５２のコネクタ受部５２ａに接続した後、前記開閉蓋６６を回動させて設置開口部４４を閉成する。このように、開閉蓋６６により設置開口部４４が閉塞されるから、設置開口部４４を介して基板収容空間４８ａに不正器具を挿入する行為を防止することができる。しかも、図５に示す如く、開閉蓋６６の前面側には、金属製の不正防止板７０が配設されているから、仮に、開閉蓋６６が破壊されたり開閉蓋６６に孔が形成されたとしても、不正器具を基板収容空間４８ａに挿入させるのは困難となる。
【００４２】
〔ハンドルユニット２２を組み外す場合について〕
ハンドルユニット２２を球皿部材２０から組み外す場合は、先ず始めに、前枠１８を中枠１６に対し開放させる。ここで、前枠１８を開放させる際に、作業者がハンドルユニット２２を手前に引っ張って、前枠１８を回動させることがある。このとき、前枠１８を開放させる際の負荷は、ハンドルユニット２２の固定部(すなわち、ネジ１２６の締結部)に作用することになる。しかるに、実施例では、ハンドルユニット２２の係合突出部１２８が係合部５８ｂに係合するから、前枠１８を開放する際の負荷は、ハンドルユニット２２の固定部にのみに集中するのは防止される。すなわち、前枠１８を開放する際の負荷は、ハンドルユニット２２の固定部および係合突出部１２８と係合部５８ｂとの係合箇所に分散して作用するから、ハンドルユニット２２の固定孔１１６ａや筒状体８０のネジ孔８０ｂが破損するのを防止することができる。
【００４３】
次いで、前記ネジ１２６を外して、ハンドルユニット２２と筒状体８０との締結を解除すると共に、前記開閉蓋６６を回動させて、前記設置開口部４４を開放させる。また、配線Ｘのコネクタ部１２４を中継基板５２のコネクタ受部５２ａから外す。そして、図１３(ａ)に示すように、揺動部材５８を回動させて係合部５８ｂを上方に持ち上げ、該係合部５８ｂおよび爪部１２８ｂの係合を解除したもとで、ハンドルユニット２２を嵌合孔８０ａから引き抜く。このとき、電気部品Ｐの配線Ｘは、係合突出部１２８に保持されているから、該配線Ｘを通孔部５４や嵌合孔８０ａから引き出し易くなり作業効率を向上し得る。また、係合部５８ｂを持ち上げるだけで、係合部５８ｂおよび爪部１２８ｂの係合を容易に解除し得るから、ハンドルユニット２２を球皿部材２０から簡単に取り外すことができる。またこのように係合部５８ｂを持ち上げて係合部５８ｂと爪部１２８ｂとの係合状態が解除されるよう構成したことで、前記ハンドルユニット２２を球皿部材２０に取り外す際に、当該爪部１２８ｂを強制的に撓ませる必要がないから、爪部１２８ｂの破損防止に繋がる。
【００４４】
〔発光演出について〕
次に、発光装置７４,７５による発光演出について説明する。パチンコ機１０が所定の遊技条件となると、前記制御手段は、発光装置７４に制御信号を出力し、各発光部８７〜８９のメインＬＥＤ１００およびサブＬＥＤ１０２を点灯させる。図１０に示すように、メインＬＥＤ１００が点灯すると、光を前方へ照射して、前記集光部１０６および拡散凹部１１０に到来する。すなわち、メインＬＥＤ１００から照射された光は、全て集光部１０６または拡散凹部１１０に到来する。集光部１０６に到来した光は、図１０の光線Ｌ１に示すように、該集光部１０６によりレンズ本体１０４の前側に向けて集光される。これにより、反射レンズ８４は、正面視で中心側が強く明輝して、インパクトのある発光演出を行うことができる。一方、拡散凹部１１０に到来したメインＬＥＤ１００の光は、図１０の光線Ｌ２に示すように、該拡散凹部１１０によりレンズ本体１０４の前側に向けて拡散される。このように、メインＬＥＤ１００から照射された光を全て集光部１０６で集光するのでなく、その一部を拡散凹部１１０で拡散することで、反射レンズ８４の中心側が極端に強く明輝するのを防止している。これにより、遊技者が反射レンズ８４の光を眩しく感じるのを防止して、遊技に集中することができる。
【００４５】
更に、前記集光部１０６で集光された光の一部は、該集光部１０６(拡散凹部１１０)の前方に位置する反射部１０８に到来し、該反射部１０８により外側反射面１０４ａに向けて反射される。そして、外側反射面１０４ａに到来した光が、該外側反射面１０４ａで再び反射して、内側反射面１０４ｂに向けて進行する。そして、図１０の光線Ｌ３に示すように、内側反射面１０４ｂに到来した光の一部は、該内側反射面１０４ｂを透過してレンズ本体１０４の前側へ照射される。一方、内側反射面１０４ｂに到来した光の一部は、内側反射面１０４ｂで再び反射されて、外側反射面１０４ａに向けて進行する。すなわち、図１０の光線Ｌ４に示すように、反射部１０８で反射された光は、外側反射面１０４ａおよび内側反射面１０４ｂで反射されながら光透過壁１０４ｃ内を反射部１０８側からレンズ本体１０４の開口縁部１０４ｄ側に向けて進行する。そして、光透過壁１０４ｃを進行する光が、内側反射面１０４ｂに到来する毎に該内側反射面１０４ｂを透過することで、レンズ本体１０４が全体的に発光することになる。すなわち、反射レンズ８４は、集光部１０６により正面視で中心側が明るく明輝すると共に、レンズ本体１０４の略全体が淡く発光するから、演出効果の高い発光演出を行い得る。
【００４６】
また、光透過壁１０４ｃ内を進行した光がレンズ本体１０４の開口縁部１０４ｄに到来すると、該開口縁部１０４ｄで光が拡散される。これにより、レンズ本体１０４の開口縁部１０４ｄが明輝して、反射レンズ８４が正面視で円形状に発光するから、発光演出による演出効果を更に高めることができる。更に、図１０の光線Ｌ５に示すように、外側反射面１０４ａに到来して該外側反射面１０４ａを透過した光は、椀状設置部９０の光反射部９３でレンズ本体１０４側に反射される。すなわち、椀状設置部９０側に漏れた光は、該椀状設置部９０の光反射部９３で前方に反射されるから、反射レンズ８４の明るさを確保することができる。ここで、図１０に示すように、レンズ本体１０４は、椀状設置部９０に対し僅かに離間して、外側反射面１０４ａと光反射部９３との間に隙間Ｓが画成されている。このため、光透過壁１０４ｃの内部において外側反射面１０４ａで反射された光(光線Ｌ４参照)と、椀状設置部９０の光反射部９３で反射された後に光透過壁１０４ｃ内に戻った光とがズレて進行することになる。この結果、外側反射面１０４ａで反射された光と光透過壁１０４ｃ内に戻った光とが内側反射面１０４ｂの異なる位置を透過してレンズ本体１０４の前方に照射されるから、反射レンズ８４を全体的にムラなく発光させることが可能となる。
【００４７】
一方、図９に示すように、サブＬＥＤ１０２から照射された光は、前記サブ通孔９６を通過し、レンズ本体１０４の光透過壁１０４ｃを透過する。更に、サブＬＥＤ１０２の光は、拡散突部１１２の内部を進行して光拡散部１１２ａに到来し、該光拡散部１１２ａで光が拡散される。これにより、反射レンズ８４は、レンズ本体１０４の内側で複数の拡散突部１１２が明輝して、演出効果をより高められる。しかも、光拡散部１１２ａに到来した光は、複数の溝部１１２ｂによりレンズ本体１０４の径方向に拡散されるから、光の拡散効果が向上して、該光拡散部１１２ａを鮮やかに発光させることができる。
【００４８】
〔変更例〕
なお、前述した実施例は、以下に示す通り、種々の変更が可能である。
（１）実施例では、ハンドルユニットを前枠(球皿部材)に固定する構成としたが、ハンドルユニットを固定する遊技機本体としては、前枠に限定されず、例えば、ハンドルユニットを中枠に固定してもよい。また、実施例では、球皿部材を１つ有する所謂一枚皿としたが、上下に球皿を有する所謂２枚皿タイプの遊技機としてもよい。そして、２枚皿タイプとした場合に、ハンドルユニットを下側の球皿に固定することもできる。
（２）実施例では、通孔部および係合部を前枠(閉塞板)に設けたが、これらの部材を中枠に設けて、ハンドルユニットが中枠に仮止め(係合)される構成としてもよい。
（３）係合部および係合突出部の構成は、両部材が係合する構成であれば、他の係合構造を採用することができる。また、実施例では、揺動部材が揺動することで、係合部が上下移動する構成としたが、例えば、係合部を上下にスライド自在に構成し、係合突出部が通孔部に挿入した際に係合部が係合突出部(突部)に係合するようにしてもよい。
（４）実施例では、係合突出部の上面側に突部を形成し、該係合突出部の下面側に配線保持部を形成したが、突部および配線保持部を上下反対に設けてもよい。
（５）実施例では、反射レンズに拡散凹部を形成したが、反射レンズの中心側の光が眩しく感じない場合には、必ずしも拡散凹部を設けなくてもよい。
（６）実施例では、椀状設置部の前面にメッキ処理を施すことで光反射部を構成したが、例えば、椀状設置部の前面に光拡散性を有するシート状の光反射部を貼着してもよい。
（７）実施例では、発光装置を球皿部材に設けた場合を示したが、発光装置を設置する箇所は球皿部材に限定されず、前枠や中枠、遊技盤等に設置することができる。また、発光装置は、反射レンズを複数有していたが、反射レンズを１つ有する構成としてもよい。
（８）実施例では、上下左右の枠部材を組み付けて中枠を構成したが、中枠を一体物で構成してもよい。
【符号の説明】
【００４９】
８２  ベース体
８４〜８６  反射レンズ
９０〜９２  椀状設置部(設置部)
９３  光反射部
１００  メインＬＥＤ(発光体)
１０２  サブＬＥＤ(第２の発光体)
１０４  レンズ本体
１０４ａ  外側反射面(外面)
１０４ｂ  内側反射面(内面)
１０４ｄ  開口縁部
１０６  集光部
１０８  反射部
１１０  拡散凹部
１１２  拡散突部
１１２ａ  光拡散部
【図１】
0005639570.tif 000002
【図２】
0005639570.tif 000003
【図３】
0005639570.tif 000004
【図４】
0005639570.tif 000005
【図５】
0005639570.tif 000006
【図６】
0005639570.tif 000007
【図７】
0005639570.tif 000008
【図８】
0005639570.tif 000009
【図９】
0005639570.tif 000010
【図１０】
0005639570.tif 000011
【図１１】
0005639570.tif 000012
【図１２】
0005639570.tif 000013
【図１３】
0005639570.tif 000014